(57)【特許請求の範囲】
【請求項１】
物体側より像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群とから構成され、
少なくとも第１レンズ群、第２レンズ群、第３レンズ群，及び第４レンズ群を光軸方向に移動させることにより変倍を行い、
前記第２レンズ群は少なくとも３枚の負レンズを有し、
前記第３レンズ群は、絞りと少なくとも２組の接合レンズを有し、
前記接合レンズのうち１組の接合レンズが、前記第３レンズ群において最も像面側に位置しており、
前記第３レンズ群のうち最も像面側に位置する接合レンズを含む一部のレンズを手ブレ補正レンズ群として、光軸と直交する方向に移動させることにより像ブレを補正し、
前記第４レンズ群は、単レンズから構成されることを特徴とするズームレンズ。
【請求項２】
以下の条件式を満たすことを特徴とする請求項１に記載のズームレンズ。
１．７＜（１−βｆ）・βｒ＜２．２      （１）
但し、
βｆ：前記手ブレ補正レンズ群の望遠端における横倍率
βｒ：前記手ブレ補正レンズ群より像側に配置されたすべてのレンズによって構成されるレンズ群の望遠端における横倍率
【請求項３】
以下の条件式を満たすことを特徴とする請求項１又は２に記載のズームレンズ。
１．４＜ｆ３ｔe／ｆ３＜２．０      （２）
但し、
ｆ３ｔe：前記手ブレ補正レンズ群の合成焦点距離（ｍｍ）
ｆ３：前記第３レンズ群の合成焦点距離（ｍｍ）
【請求項４】
前記手ブレ補正レンズ群は、正の屈折力を有するレンズと、負の屈折力を有するレンズとを接合した接合レンズを少なくとも一組有することを特徴とする請求項１〜３のいずれか一項に記載のズームレンズ。
【請求項５】
以下の条件式を満たすことを特徴とする請求項４に記載のズームレンズ。
νｄ３teｐ−νｄ３teｎ＞２５      （３）
但し、
νｄ３teｐ：前記手ブレ補正レンズ群のうち正の屈折力を有するレンズのアッベ数
νｄ３teｎ：前記手ブレ補正レンズ群のうち負の屈折力を有するレンズのアッベ数
【請求項６】
以下の条件式を満たすことを特徴とする請求項１〜５のいずれか一項に記載のズームレンズ。
１．７＜（β２ｔ／β２ｗ）／（β３ｔ／β３ｗ）＜２．２      （４）
但し、
β２ｔ：前記第２レンズ群の望遠端における横倍率
β２ｗ：前記第２レンズ群の広角端における横倍率
β３ｔ：前記第３レンズ群の望遠端における横倍率
β３ｗ：前記第３レンズ群の広角端における横倍率
【請求項７】
以下の条件式を満たすことを特徴とする請求項１〜６のいずれか一項に記載のズームレンズ。
−０．４＜ｆ２／（ｆｗ×ｆｔ）1/2＜−０．１      （５）
但し、
ｆ２：前記第２レンズ群の合成焦点距離（ｍｍ）
ｆｗ：前記ズームレンズの広角端における焦点距離（ｍｍ）
ｆｔ：前記ズームレンズの望遠端における焦点距離（ｍｍ）
【請求項８】
以下の条件式を満たすことを特徴とする請求項１〜７のいずれか一項に記載のズームレンズ。
２＜ｆ１／（ｆｗ×ｆｔ）1/2＜３      （６）
但し、
ｆ１：前記第１レンズ群の合成焦点距離（ｍｍ）
ｆｗ：前記ズームレンズの広角端における焦点距離（ｍｍ）
ｆｔ：前記ズームレンズの望遠端における焦点距離（ｍｍ）
【請求項９】
前記第２レンズ群は、物体側から順に、負の屈折力を有する第２−１レンズ、負の屈折力を有する第２−２レンズ、正の屈折力を有する第２−３レンズ、負の屈折力を有する第２−４レンズから構成されることを特徴とする請求項１〜８のいずれか一項に記載のズームレンズ。
【請求項１０】
前記第１レンズ群は、物体側から順に、負の屈折力を有する第１−１レンズ、正の屈折力を有する第１−２レンズ、正の屈折力を有する第１−３レンズから構成され、前記第１−１レンズと前記第１−２レンズは互いに接合されて接合レンズを構成することを特徴とする請求項１〜９のいずれか一項に記載のズームレンズ。
【請求項１１】
前記第１レンズ群の接合レンズは、以下の条件式を満たすことを特徴とする請求項１０に記載のズームレンズ。
νｄ１ｐ−νｄ１ｎ＞４０      （７）
但し、
νｄ１ｐ：前記第１レンズ群に含まれる接合レンズの第１−２レンズのアッベ数
νｄ１ｎ：前記第１レンズ群に含まれる接合レンズの第１−１レンズのアッベ数
【請求項１２】
前記第１レンズ群、前記第２レンズ群、前記第３レンズ群のうち、少なくとも２つのレンズ群の各群における少なくとも一つのレンズは、下記の条件を満たすことを特徴とする請求項１〜１１のいずれか一項に記載のズームレンズ。
ｎｄ＞１．９      （８）
但し、
ｎｄ：各群に含まれるレンズのｄ線に対する屈折率
【請求項１３】
前記第３レンズ群は、少なくとも４枚の正の屈折力を有するレンズと、２枚の負の屈折力を有するレンズを有することを特徴とする請求項１〜１２のいずれか一項に記載のズームレンズ。
【請求項１４】
前記第３レンズ群は、最も物体側に前記絞りを配置したことを特徴とする請求項１〜１３のいずれか一項に記載のズームレンズ。
【請求項１５】
前記第５レンズ群は正の屈折力を有するプラスチック製の単レンズから構成されており、少なくとも一つの非球面を有し、変倍、合焦の際に移動しないことを特徴とする請求項１〜１４のいずれか一項に記載のズームレンズ。
【請求項１６】
前記ズームレンズは、実質的に屈折力を有しないレンズを有することを特徴とする請求項１〜１５に記載のズームレンズ。
【発明の詳細な説明】
【技術分野】
【０００１】
本発明は、デジタルスチルカメラ、ビデオカメラ等に用いられ、手ブレ、振動等によって生じる像の振れを光学的に補正する手ブレ補正機能（像ブレ補正機能ともいう）を備えた、小型のズームレンズに関するものである。
【背景技術】
【０００２】
近年、ＣＣＤ（Ｃｈａｒｇｅ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の撮像素子の高集積化、小型化が図られてきており、これに伴ってＣＣＤやＣＭＯＳを用いたデジタルスチルカメラやビデオカメラ等の撮像装置においては、高機能化と共に装置全体としての小型化が求められている。
【０００３】
また、デジタルスチルカメラは、その一般化に伴い使用されるシチュエーションも広がってきており、広角化，高変倍化が求められてきている。
【０００４】
しかし、このようなデジタルスチルカメラやビデオカメラでは、被写体を撮影する際に、手ブレなどにより撮影系に振動が生じると、撮影した画像にぶれが生じる恐れがある。これに対し、これらカメラに搭載されるズームレンズにおいては、撮影時に生じる手ブレ等に起因する像ブレを光学的に補正する像ブレ補正機能が普及してきており、更にレンズの小型化を確保した上で手ブレ補正機能を確保することが求められている。
【０００５】
このような状況下、従来から撮影画像のぶれを防止する手ブレ補正機能を備えたズームレンズが種々提案されている。手ブレ補正機能を備えた撮影系としてのズームレンズにおいては、一部のレンズ群、またはレンズ群内の一部のレンズを変位させて像ブレを補正することができるものが数多く知られている。又、物体側から正負正負正（物体側から順に、正の屈折力を有する第１レンズ群、負の屈折力を有する第２レンズ群、正の屈折力を有する第３レンズ群、負の屈折力を有する第４レンズ群、正の屈折力を有する第５レンズ群が配置された構成をいう,以下同じ）の５群タイプのズームレンズにおいては、第３レンズ群全体、または一部のレンズ群を光軸と直交方向に移動させることで手ブレを補正する構成のものが，以下に示す特許文献１〜５のように知られている。
【先行技術文献】
【特許文献】
【０００６】
【特許文献１】特開2011-237588号公報
【特許文献２】特開2012-212106号公報
【特許文献３】特開2012-220920号公報
【特許文献４】特開2013-101316号公報
【特許文献５】特開2014-035418号公報
【発明の概要】
【発明が解決しようとする課題】
【０００７】
特許文献１に記載されたズームレンズでは、手ブレ補正のため、第３レンズ群内の一部のレンズを光軸直交方向に移動させており、これにより移動させるためのアクチュエータ機構の小型化を図っている。しかしながら、光軸直交方向に移動させるレンズを絞り付近に設けようとすると、手ブレ補正レンズの偏心誤差に対する収差変動の影響で、手ブレ補正後の光学性能の確保が難しくなりやすいという問題がある。
【０００８】
特許文献２に記載されたズームレンズも特許文献１と同様に、手ブレ補正のため、第３レンズ群内の一部のレンズを光軸直交方向に移動させており、これにより移動させるためのアクチュエータ機構の小型化を図っているが、ズーム比が小さく近年求められている高変倍化に対応できていないという問題がある。
【０００９】
特許文献３に記載されたズームレンズも特許文献１、２と同様に、手ブレ補正のため、第３レンズ群内の一部のレンズ光軸直交方向に移動させており、さらに高変倍化が可能となっている。しかしながら、全体として負の屈折力を有する第２レンズ群が、負の屈折力を有する負レンズを２枚と正の屈折力を有する正レンズを１枚有しており、負レンズのパワーが強くなりすぎて偏心感度が増大する為，組付調整に手間がかかる。
【００１０】
特許文献４に記載されたズームレンズは、特許文献１〜３と同様に、手ブレ補正のため、第３レンズ群内の一部のレンズを光軸直交方向に移動させており、これにより移動させるためのアクチュエータ機構の小型化を図っている。しかしながら、広角端での焦点距離が３５ｍｍ版換算長で９３ｍｍ程度に設定されており、かかるズームレンズは近年の広角化に対応できておらず、また変倍比が小さく高変倍化への対応ができていない。
【００１１】
特許文献５に記載されたズームレンズに関しては、手ブレ補正を第３レンズ群で行っており、手ブレ補正後の性能が良好となっている。しかしながら、第３レンズ群全体を移動させることにより、手ブレ補正の為に移動させるレンズの重量が増大し、アクチュエータ機構の大型化を招くこととなって好ましくない。
【００１２】
本発明は、かかる問題に鑑みてなされたものであり、高変倍でコンパクト化がなされ、諸収差が良好に補正された手ブレ補正機能を有するズームレンズを提供することを目的としたものである。
【課題を解決するための手段】
【００１３】
請求項１に記載のズームレンズは、物体側より像側へ順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群とから構成され、
少なくとも第１レンズ群、第２レンズ群、第３レンズ群，及び第４レンズ群を光軸方向に移動させることにより変倍を行い、
前記第２レンズ群は少なくとも３枚の負レンズを有し、
前記第３レンズ群は、絞りと少なくとも２組の接合レンズを有し、
前記接合レンズのうち１組の接合レンズが、前記第３レンズ群において最も像面側に位置しており、
前記第３レンズ群のうち最も像面側に位置する接合レンズを含む一部のレンズを手ブレ補正レンズ群として、光軸と直交する方向に移動させることにより像ブレを補正し、
前記第４レンズ群は、単レンズから構成されることを特徴とする。
【００１４】
本発明のズームレンズ全系は、物体側より像側へ順に、正の屈折力を有する前記第１レンズ群と、負の屈折力を有する前記第２レンズ群と、正の屈折力を有する前記第３レンズ群と、負の屈折力を有する前記第４レンズ群と、正の屈折力を有する前記第５レンズ群とから構成される。このような構成にすることによって、負レンズ群が二つになってズームレンズ系全体における屈折力の構成が対称形となり、歪曲収差やコマ収差、倍率色収差といった対称形によって補正される諸収差を効果的に補正することが可能となる。また、各レンズ群の空気間隔を変化させるように、少なくとも第１レンズ群、第２レンズ群、第３レンズ群，及び第４レンズ群を光軸方向に独立して移動させ変倍及び変倍に伴う焦点位置変化補正を行うことにより、収差補正の自由度が増え、良好な光学性能を維持しながら、全長及び前玉径をコンパクト化しつつも高変倍を確保することが可能となる。
【００１５】
また、高変倍なズームレンズにおいて更なる小型化を実現しようとすると、変倍機能を担う第２レンズ群のパワーを強くする必要がある。従来、第２レンズ群は２枚の負レンズを用いることが多かったが、２枚の負レンズでは各レンズのパワーが強くなってしまい収差補正が難しくなってしまう。そのため、本発明では前記第２レンズ群に３枚以上の負レンズを用いることにより、２枚の負レンズを用いる場合に比して、より良好な収差補正を行うことができるようになる。また、２枚の負レンズでは、各レンズのパワーが強くなることにより、鏡胴への組み込み時の偏心誤差による収差変動が大きくなり、量産性を確保することが難しくなってしまうという課題もあるが、本発明では前記第２レンズ群に３枚以上の負レンズを用いることにより、２枚の負レンズを用いる場合に比して、各レンズのパワーを緩めることができるため、鏡胴への組み込み時の偏心誤差に対する収差変動を小さくし、量産性を確保することが可能となる。
【００１６】
また、前記第３レンズ群内に少なくとも２組の接合レンズを有することにより、前記第３レンズ群内の色収差を良好に補正することが可能となるため、良好な光学性能を確保することができる。更に、レンズを接合しない場合に比べ、偏心誤差により変位してしまうレンズ要素を少なくできるので、鏡胴への組み込み時の収差変動を抑えやすくなり量産性を向上させることが可能となる。
【００１７】
更に、前記第３レンズ群が絞りを有することにより、射出瞳位置を撮像素子から遠ざけることができるので、撮像素子がＣＣＤやＣＭＯＳの場合に必要となることが多いテレセントリック性を確保しやすくなり、さらに入射瞳位置をより物体側に位置させることができるから、前玉径と後玉径の小型化を実現することができる。
【００１８】
本発明においては、前記絞りを有しズームレンズ全系の中央に配置されて有効径が小さく抑えられた前記第３レンズ群のうち最も像面側に位置する接合レンズを含む一部のレンズを手ブレ補正レンズ群として、光軸と直交方向に移動することにより像ブレを補正している。これにより、小型軽量な手ブレ補正レンズ群を光軸直交方向に駆動させるアクチュエータ機構の小型化・省エネ化を実現できる。又、前記接合レンズ内で収差補正が良好に行われているので、手ブレ補正後の良好な光学性能を確保することができる。加えて、前記最も像面側に近い接合レンズを含む一部のレンズを手ブレ補正レンズ群として光軸直交方向に駆動しているので、前記手ブレ補正レンズ群を移動させた際の像移動量を抑えられるため、手ブレ補正制御しやすいというメリットもある。更に、前記第３レンズ群に２組の前記接合レンズを設けることで、偏心誤差により移動してしまうレンズ要素を少なくすることができるため、ズームレンズの組付時における調整の手間が少なくなり、量産性を向上できる。
【００１９】
請求項２に記載のズームレンズは、以下の条件式を満たすことを特徴とする。
１．７＜（１−βｆ）・βｒ＜２．２      （１）
但し、
βｆ：前記手ブレ補正レンズ群の望遠端における横倍率
βｒ：前記手ブレ補正レンズ群より像側に配置されたすべてのレンズによって構成されるレンズ群の望遠端における横倍率
【００２０】
条件式（１）は、前記手ブレ補正レンズ群の望遠端における横倍率と、前記手ブレ補正レンズ群より像側に配置されたすべてのレンズによって構成されるレンズ群の望遠端における横倍率の関係を規定する式である。この式は、手ブレ補正レンズ群の移動量に対する、像移動量の比率を表している。条件式（１）の値が上限を下回ると、前記手ブレ補正レンズ群を移動させた際の像移動量が大きくなりすぎないため、適切に手ブレ補正を行うための制御が容易になる。一方、条件式（１）の値が下限を上回ると、前記手ブレ補正レンズ群を移動させた際の像移動量が小さくなりすぎず、手ブレ補正のために前記手ブレ補正レンズ群の移動量を増やす必要がなくなり、鏡胴の小型化が図れる。つまり、条件式（１）を満たすことにより、前記手ブレ補正レンズ群の移動量を適切に設定することができ、アクチュエータ機構や鏡胴の小型化が可能となる。
【００２１】
請求項３に記載のズームレンズは、請求項１又は２に記載の発明において、以下の条件式を満たすことを特徴とする。
１．４＜ｆ３ｔe／ｆ３＜２．０      （２）
但し、
ｆ３ｔe：前記手ブレ補正レンズ群の合成焦点距離（ｍｍ）
ｆ３：前記第３レンズ群の合成焦点距離（ｍｍ）
【００２２】
条件式（２）は、前記手ブレ補正レンズ群の焦点距離と、前記第３レンズ群全体の焦点距離の比を規定した式である。条件式（２）の値が上限を下回ることで、前記手ブレ補正レンズ群の焦点距離を長くしすぎることがないので、前記手ブレ補正レンズ群の移動量を増やす必要がなくなるため、レンズ移動による鏡胴の大型化を防ぐことができる。一方、条件式（２）の値が下限を上回ることで、前記手ブレ補正レンズ群の焦点距離を短くしすぎることがなくなるので、前記手ブレ補正レンズ群自体の収差補正を行うことができ、手ブレ補正時の良好な光学性能を確保することが可能となる。つまり、条件式（２）を満たすことで、手ブレ補正後の良好な光学性能を確保するとともに、手ブレ補正時のレンズ移動量を小さくすることができるので、アクチュエータ機構の小型化ができ鏡胴を小型化することができる。
【００２３】
請求項４に記載のズームレンズは、請求項１〜３のいずれかに記載の発明において、前記手ブレ補正レンズ群は、正の屈折力を有するレンズと、負の屈折力を有するレンズとを接合した接合レンズを少なくとも一組有することを特徴とする。
【００２４】
前記手ブレ補正レンズ群は、手ブレ補正後の良好な光学性能を確保するために、前記手ブレ補正レンズ群自体の収差補正がなされている必要がある。そこで、前記手ブレ補正レンズ群に、少なくとも一組の正の屈折力を有する正レンズと、負の屈折力を有する負レンズとを接合した接合レンズを含むことにより、色収差や諸収差の発生を低減させることができ、手ブレ補正後の良好な光学性能を確保することが可能となる。
【００２５】
請求項５に記載のズームレンズは、請求項４に記載の発明において、以下の条件式を満たすことを特徴とする。
νｄ３teｐ−νｄ３teｎ＞２５      （３）
但し、
νｄ３teｐ：前記手ブレ補正レンズ群のうち正の屈折力を有するレンズのアッベ数
νｄ３teｎ：前記手ブレ補正レンズ群のうち負の屈折力を有するレンズのアッベ数
【００２６】
条件式（３）は、前記手ブレ補正レンズ群に含まれる少なくとも一組の接合レンズのレンズ要素のアッベ数の差を規定した式である。条件式（３）の値が下限を上回ると、前記手ブレ補正レンズ群の適切な色収差補正が容易となり、手ブレ補正後の良好な光学性能を確保することができる。具体的には、条件式（３）の値が下限を上回ることで、ｄ線に対しｇ線がアンダーになりすぎない軸上色収差となり、ｄ線に対しｇ線がより低い像高になるような倍率色収差が発生することを抑制できる。つまり、条件式（３）を満たすことにより、前記手ブレ補正レンズ群で発生する色収差を良好に補正することが可能となる。
【００２７】
請求項６に記載のズームレンズは、請求項１〜５のいずれかに記載の発明において、以下の条件式を満たすことを特徴とする。
１．７＜（β２ｔ／β２ｗ）／（β３ｔ／β３ｗ）＜２．２      （４）
但し、
β２ｔ：前記第２レンズ群の望遠端における横倍率
β２ｗ：前記第２レンズ群の広角端における横倍率
β３ｔ：前記第３レンズ群の望遠端における横倍率
β３ｗ：前記第３レンズ群の広角端における横倍率
【００２８】
条件式（４）は、前記第２レンズ群の望遠端と広角端の横倍率の比と、前記第３レンズ群の望遠端と広角端の横倍率の比を規定した式である。条件式（４）の値が上限を下回って小さくなることで、前記第２レンズ群の望遠端から広角端までの横倍率の比を大きくなり過ぎないようにできるので、前記第２レンズ群の変倍を大きくしすぎることがない。このため、前記第２レンズ群のパワーが強くなることによるコマ収差や非点収差、像面湾曲等の発生を抑えることができ、または、前記第２レンズ群の移動量が大きくなることによる光学系の大型化を防ぐことが可能となる。一方、条件式（４）値が下限を上回ることで、前記第３レンズ群の望遠端から広角端までの横倍率の比を大きくなりすぎないようにできるので、前記第３レンズ群の変倍を大きくしすぎることがない。このため、前記第３レンズ群のパワーが強くなることによる、球面収差やコマ収差の発生を抑えることができ、または、前記第３レンズ群の移動量が大きくなることによる光学系の大型化を防ぐことが可能となる。つまり、条件式（４）を満たすことにより、光学系の小型化と良好な光学性能を確保することが可能となる。
【００２９】
請求項７に記載のズームレンズは、請求項１〜６のいずれかに記載の発明において、以下の条件式を満たすことを特徴とする。
−０．４＜ｆ２／（ｆｗ×ｆｔ）1/2＜−０．１      （５）
但し、
ｆ２：前記第２レンズ群の合成焦点距離（ｍｍ）
ｆｗ：前記ズームレンズの広角端における焦点距離（ｍｍ）
ｆｔ：前記ズームレンズの望遠端における焦点距離（ｍｍ）
【００３０】
条件式（５）は、前記第２レンズ群の焦点距離と、前記ズームレンズの広角端と望遠端の焦点距離の平方根の比を規定したものである。条件式（５）の値が上限を下回ることで、前記第２レンズ群のパワーを弱くしすぎることがなくなるので、変倍に必要な移動量を大きくする必要がなく光学系の小型化が可能になる。一方、条件式（５）の値が下限を上回ることで、前記第２レンズ群のパワーが強くなりすぎることがないので、前記第２レンズ群の広角端で発生する非点収差、像面湾曲等の軸外収差の発生を防ぐことができ、良好な光学性能を確保することが可能となる。また、前記第２レンズ群を鏡胴へ組み込む際に、レンズ群としての偏心誤差に対する収差変動が大きくなりすぎず、良好な量産性を確保することが可能となる。つまり、条件式（５）を満たすことで、光学系の小型化と良好な光学性能、量産性の確保が可能となる。
【００３１】
請求項８に記載のズームレンズは、請求項１〜７のいずれかに記載の発明において、以下の条件式を満たすことを特徴とする。
２＜ｆ１／（ｆｗ×ｆｔ）1/2＜３      （６）
但し、
ｆ１：前記第１レンズ群の合成焦点距離（ｍｍ）
ｆｗ：前記ズームレンズの広角端における焦点距離（ｍｍ）
ｆｔ：前記ズームレンズの望遠端における焦点距離（ｍｍ）
【００３２】
条件式（６）は、前記第１レンズ群の焦点距離と、前記ズームレンズの広角端と望遠端の焦点距離の平方根の比を規定したものである。条件式（６）の値が上限を下回ることで、前記第１レンズ群のパワーを弱くしすぎることがなくなるので、変倍に必要な移動量を大きくする必要がなく望遠端での全長を短くすることができ、小型化が可能になる。一方、条件式（６）の値が下限を上回ることで、前記第１レンズ群のパワーを強めすぎなくてすむため、主に広角端の軸外光束で発生する像面湾曲や歪曲、望遠端で発生する球面収差、軸上色収差を抑えることができ、良好な光学性能を確保することが可能となる。また、前記第１レンズ群を鏡胴へ組み込む際に、レンズ群としての偏心誤差に対する収差変動が大きくなりすぎず、量産性が良好となる。つまり、条件式（６）を満たすことで、光学性能の小型化と良好な光学性能、量産性の確保が可能となる。
【００３３】
請求項９に記載のズームレンズは、請求項１〜８のいずれかに記載の発明において、前記第２レンズ群は、物体側から順に、負の屈折力を有する第２−１レンズ、負の屈折力を有する第２−２レンズ、正の屈折力を有する第２−３レンズ、負の屈折力を有する第２−４レンズから構成されることを特徴とする。
【００３４】
前記第２レンズ群は、物体側から負レンズ（負の屈折力を有するレンズ）、負レンズ、正レンズ（正の屈折力を有するレンズ）、負レンズにより構成されると好ましい。第２レンズ群を負レンズ、負レンズ、正レンズから構成した従来例では、高倍率になると第２レンズ群での変倍機能が大きくなり、パワーが強くなるため、前記第２レンズ群内での収差補正が難しくなったり、偏心誤差に対する収差変動が大きくなってしまう恐れがある。これに対し本発明によれば、前記第２レンズ群内の負レンズを３枚にすることにより、負の屈折力を有する前記第２レンズ群の各負レンズのパワーを弱めることができるので、各レンズで発生する収差を小さくすることができ、前記第２レンズ群で発生する諸収差をより小さくすることが可能となる。さらに、各レンズを鏡胴へ組み込む際の、レンズ単品としての偏心誤差に対する収差変動を抑えることができ、量産性が良好となる。つまり、前記第２レンズ群を物体側から負レンズ、負レンズ、正レンズ、負レンズで構成することにより、少ないレンズ枚数で像面湾曲や、歪曲収差、倍率色収差を良好に補正することができ、量産性の確保が可能となる。
【００３５】
請求項１０に記載のズームレンズは、請求項１〜９のいずれかに記載の発明において、前記第１レンズ群は、物体側から順に、負の屈折力を有する第１−１レンズ、正の屈折力を有する第１−２レンズ、正の屈折力を有する第１−３レンズから構成され、前記第１−１レンズと前記第１−２レンズは互いに接合されて接合レンズを構成することを特徴とする。
【００３６】
前記第１レンズ群を、物体側から負の屈折力を有する第１−１レンズ、正の屈折力を有する第１−２レンズ、正の屈折力を有する第１−３レンズから構成することにより、主に望遠端での球面収差や軸上色収差、広角端での像面湾曲や歪曲を良好に補正することが可能となる。さらに、負の屈折力を有する前記第１−１レンズと、正の屈折力を有する前記第１−２レンズを接合して接合レンズを形成することで、より色収差補正を効果的に行うことができる。また、鏡胴へ組み込む際のレンズ群としての偏心誤差に対する収差変動を抑えることができ、量産性が良好となる。
【００３７】
請求項１１に記載のズームレンズは、請求項１０に記載の発明において、前記第１レンズ群の接合レンズは、以下の条件式を満たすことを特徴とする。
νｄ１ｐ−νｄ１ｎ＞４０      （７）
但し、
νｄ１ｐ：前記第１レンズ群に含まれる接合レンズの第１−２レンズのアッベ数
νｄ１ｎ：前記第１レンズ群に含まれる接合レンズの第１−１レンズのアッベ数
【００３８】
条件式（７）は、前記第１レンズ群に含まれる接合レンズの負レンズと正レンズのアッベ数の差を規定した式である。望遠端では前記第１レンズ群に光線高さの高い光線が入射してくるため、前記第１レンズ群が望遠端の性能に与える影響が大きい。条件式（７）の値が下限を上回ると、前記第１レンズ群内の適切な色収差補正が容易となり、特に望遠端での良好な光学性能を確保することが可能となる。具体的には、条件式（７）の値が下限を上回ることで、ｄ線に対しｇ線がアンダーになりすぎない軸上色収差となり、ｄ線に対しｇ線がより高い像高になるような倍率色収差が発生しにくくなる。つまり、条件式（７）の値が下限を上回ることで、第１レンズ群内の軸上色収差を小さくすることができ、望遠端での良好な光学性能を確保することが可能となる。
【００３９】
請求項１２に記載のズームレンズは、請求項１〜１１のいずれかに記載の発明において、前記第１レンズ群、前記第２レンズ群、前記第３レンズ群のうち、少なくとも２つのレンズ群の各群における少なくとも一つのレンズは、下記の条件を満たすことを特徴とする。
ｎｄ＞１．９      （８）
但し、
ｎｄ：各群に含まれるレンズのｄ線に対する屈折率
【００４０】
前記第１レンズ群、前記第２レンズ群、前記第３レンズ群のうち少なくとも２つのレンズ群の各群における少なくとも一つのレンズが、条件式（８）を満たすことにより、各レンズ群のパワーを強くしやすくなり、各群の移動量を小さくすることができるので、ズームレンズ全体を小型化することが可能となる。また、条件式（８）を満たすレンズを使用することにより、レンズの曲率半径を緩くすることが可能となるので、諸収差の発生を抑制し良好な光学性能を確保することが可能となる。または、曲率半径が緩くなることにより、レンズ単品を鏡胴へ組み込む際の偏心誤差に対する収差変動を抑えることが可能となるので、量産性を向上させることができる。つまり、条件式（８）を満たすレンズを使用することにより、ズームレンズの小型化と良好な光学性能を確保するとともに、量産性を向上させることが可能となる。
【００４１】
請求項１３に記載のズームレンズは、請求項１〜１２のいずれかに記載の発明において、前記第３レンズ群は、少なくとも４枚の正の屈折力を有するレンズと、２枚の負の屈折力を有するレンズを有することを特徴とする。
【００４２】
前記第３レンズ群は、球面収差やコマ収差への寄与が大きく、これらを良好に補正する為に、従来では正負正のトリプレット構成や、正の単レンズと正レンズ及び負レンズを接合した接合レンズとを組み合わせるなどした、３枚のレンズを用いることが多かった。しかしながら、高い変倍比を持つズームレンズになると、レンズ３枚では収差の補正力が足りずに、コマ収差等の軸外収差が多く発生してしまう恐れがある。これらの収差を良好に補正するために、本発明では正の屈折力を有するレンズを４枚、負の屈折力を有するレンズを２枚有する構成としている。また、前記第３レンズ群内は光束が集まっているため、偏心誤差に対する収差変動が大きくなりやすい。このため、レンズ枚数を増やすことで各レンズのパワーを緩くし、レンズ単品を鏡胴へ組み込む際の偏心誤差に対する収差変動を抑えることが可能となる。このような構成にすることによって、光学性能の確保と量産性を向上させることが可能となる。
【００４３】
請求項１４に記載のズームレンズは、請求項１〜１３のいずれかに記載の発明において、前記第３レンズ群は、最も物体側に前記絞りを配置したことを特徴とする。
【００４４】
前記第３レンズ群に前記絞りを設けた場合において、前記手ブレ補正レンズ群を駆動するためのアクチュエータ機構を、前記絞りのシャッター機構の近くに配置してしまうと磁場の影響で手ブレ補正のためのアクチュエータ機構に悪影響を与え、前記手ブレ補正レンズ群の位置精度が悪化してしまう恐れがある。これに対し、前記第３レンズ群の最も物体側に前記絞りを配置すれば、前記手ブレ補正レンズ群を光軸直交方向に駆動するアクチュエータ機構に対して、前記絞りのシャッター機構を離間させることができるので、手ブレ補正のためのアクチュエータ機構への磁場の影響を小さくすることができ、前記手ブレ補正レンズ群の位置精度の悪化を防ぐこと可能となる。また、手ブレ補正後の良好な光学性能の確保を図ることができる。尚、前記絞りは、前記第３レンズ群の最も物体側に限らず、前記手ブレ補正レンズ群に対して物体側に隣接したレンズより更に物体側に配置されていれば足りる。
【００４６】
前記第４レンズ群は、前記第５レンズ群に次いで像面に近いため、ここを通る光束が細くなり、球面収差やコマ収差の発生量を比較的小さく抑えることができる。したがって、前記第４レンズ群を単レンズで構成することが、低コスト化や光学系の小型化を達成する上で望ましい。
【００４７】
請求項１５に記載のズームレンズは、請求項１〜１４のいずれかに記載の発明において、前記第５レンズ群は正の屈折力を有するプラスチック製の単レンズから構成されており、少なくとも一つの非球面を有し、変倍、合焦の際に移動しないことを特徴とする。
【００４８】
前記第５レンズ群は最も像面に近いため、ここを通る光束が細くなり、球面収差やコマ収差の発生量を比較的小さく抑えることができる。したがって、前記第５レンズ群を単レンズで構成することが、低コスト化や光学系の小型化を達成する上で望ましい。また、前記第５レンズ群は撮像素子に最も近いレンズ群であり、前記第５レンズ群のゴミが画像に写りこみやすくなる。そこで、本発明では、前記第５レンズ群を光軸方向に移動させないことで、最終レンズと撮像素子との間の空間を封止することができるようになり、鏡胴内へのごみの混入を防ぐことが可能となる。
【００４９】
請求項１６に記載のズームレンズは、請求項１〜１５のいずれかに記載の発明において、実質的に屈折力を有しないレンズを有することを特徴とする。
【発明の効果】
【００５０】
本発明によれば、デジタルスチルカメラやビデオカメラ等に好適な、高変倍でコンパクト化がなされ、諸収差が良好に補正された手ブレ補正機能を有するズームレンズを提供することができる。
【図面の簡単な説明】
【００５１】
【図１】実施例１のズームレンズの広角端（ａ）、中間（ｂ）、望遠端（ｃ）におけるレンズ断面図である。
【図２】実施例１の広角端における球面収差（ａ）、非点収差（ｂ）、歪曲収差（ｃ）の収差図である。
【図３】実施例１の中間における球面収差（ａ）、非点収差（ｂ）、歪曲収差（ｃ）の収差図である。
【図４】実施例１の望遠端における球面収差（ａ）、非点収差（ｂ）、歪曲収差（ｃ）の収差図である。
【図５】実施例２のズームレンズの広角端（ａ）、中間（ｂ）、望遠端（ｃ）におけるレンズ断面図である。
【図６】実施例２の広角端における球面収差（ａ）、非点収差（ｂ）、歪曲収差（ｃ）の収差図である。
【図７】実施例２の中間における球面収差（ａ）、非点収差（ｂ）、歪曲収差（ｃ）の収差図である。
【図８】実施例２の望遠端における球面収差（ａ）、非点収差（ｂ）、歪曲収差（ｃ）の収差図である。
【図９】実施例３のズームレンズの広角端（ａ）、中間（ｂ）、望遠端（ｃ）におけるレンズ断面図である。
【図１０】実施例３の広角端における球面収差（ａ）、非点収差（ｂ）、歪曲収差（ｃ）の収差図である。
【図１１】実施例３の中間における球面収差（ａ）、非点収差（ｂ）、歪曲収差（ｃ）の収差図である。
【図１２】実施例３の望遠端における球面収差（ａ）、非点収差（ｂ）、歪曲収差（ｃ）の収差図である。
【図１３】実施例４のズームレンズの広角端（ａ）、中間（ｂ）、望遠端（ｃ）におけるレンズ断面図である。
【図１４】実施例４の広角端における球面収差（ａ）、非点収差（ｂ）、歪曲収差（ｃ）の収差図である。
【図１５】実施例４の中間における球面収差（ａ）、非点収差（ｂ）、歪曲収差（ｃ）の収差図である。
【図１６】実施例４の望遠端における球面収差（ａ）、非点収差（ｂ）、歪曲収差（ｃ）の収差図である。
【図１７】実施例５のズームレンズの広角端（ａ）、中間（ｂ）、望遠端（ｃ）におけるレンズ断面図である。
【図１８】実施例５の広角端における球面収差（ａ）、非点収差（ｂ）、歪曲収差（ｃ）の収差図である。
【図１９】実施例５の中間における球面収差（ａ）、非点収差（ｂ）、歪曲収差（ｃ）の収差図である。
【図２０】実施例５の望遠端における球面収差（ａ）、非点収差（ｂ）、歪曲収差（ｃ）の収差図である。
【発明を実施するための形態】
【００５２】
以下に、本発明のズームレンズの実施例を示す。各実施例に使用する記号は以下の通りである。
Ｆno：Ｆナンバー
Ｒ：レンズ面の曲率半径
Ｄ：レンズ面の間隔
Ｎｄ：レンズ材料のｄ線での屈折率
νｄ：レンズ材料のアッベ数
ｆ：焦点距離
ｆＢ：バックフォーカス
Ｙ：固体撮像素子の撮像面片側対角最大像高
ENTP  ：入射瞳位置（第１面から入射瞳位置までの距離）
EXTP  ：射出瞳位置（撮像面から射出瞳位置までの距離）
H1    ：前側主点位置（第１面から前側主点位置までの距離）
H2    ：後側主点位置（最終面から後側主点位置までの距離）
また面番号中の＊は非球面を表し、かか非球面の形状は、面の頂点を原点とし光軸方向をＸ軸、それに直交する方向をＹ軸及びＺ軸とした直交座標系において、光軸直交方向の高さをｈ、頂点曲率をC、円錐定数をK、非球面係数をA4、A6、A8、A10、A12として以下の数式で表す。尚、これ以降（表のレンズデータ含む）において、１０のべき乗数（例えば ２．５×１０-03）を、Ｅ（例えば ２．５×Ｅ−０３）を用いて表すものとする。又、以下の実施例のコンストラクションデータを記載した表内に記載したＦ値、バックフォーカスはすべて、無限の物体距離の時の値である。また、バックフォーカスとは、カバーガラスの最終面から結像位置までの距離である。特に示さない限り、距離の単位はｍｍとする。
【００５３】
【数１】
0006292403.tif 000002
【００５４】
（実施例１）
実施例１のレンズデータを表１に示す。図１は、実施例１のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。
【００５５】
第１レンズ群Ｇ１は、物体側より順に、負の屈折力を有するレンズＬ１（第１−１レンズ）、正の屈折力を有するレンズＬ２（第１−２レンズ）、正の屈折力を有するレンズＬ３（第１−３レンズ）から構成され、レンズＬ１とレンズＬ２は互いに接合されて接合レンズＬ１／２を構成している。第２レンズ群Ｇ２は、物体側より順に、負の屈折力を有するレンズＬ４（第２−１レンズ）、負の屈折力を有するレンズＬ５（第２−２レンズ）、正の屈折力を有するレンズＬ６（第２−３レンズ）、負の屈折力を有するレンズＬ７（第２−４レンズ）から構成され、レンズＬ５とレンズＬ６は互いに接合されて接合レンズＬ５／６を構成している。
【００５６】
第３レンズ群Ｇ３は、物体側より順に、絞りＳ、正の屈折力を有するレンズＬ８、正の屈折力を有するレンズＬ９、負の屈折力を有するレンズＬ１０，正の屈折力を有するレンズＬ１１、正の屈折力を有するレンズＬ１２、負の屈折力を有するレンズＬ１３から構成され、レンズＬ９とレンズＬ１０は互いに接合されて接合レンズＬ９／１０を構成しており、レンズＬ１２とレンズＬ１３は互いに接合されて、第３レンズ群Ｇ３において最も像面側に位置する接合レンズＬ１２／１３を構成している。第４レンズ群Ｇ４は、負レンズＬ１４を有する。第５レンズ群Ｇ５は、正レンズＬ１５を有する。ＦはＩＲカットフィルタであり、ＣＧはカバーガラスであり、Ｉは固体撮像素子の撮像面である。
【００５７】
本実施例では、広角端から望遠端側へと変倍する際に、第１レンズ群Ｇ１は独立して物体側に移動し、第２レンズ群Ｇ２も独立して物体側に移動し、第３レンズ群Ｇ３も独立して物体側に移動し、第４レンズ群Ｇ４も独立して物体側に移動し、第５レンズ群Ｇ５は光軸方向位置が固定される。フォーカシング時は、第４レンズ群Ｇ４のみが独立して光軸方向に変位する。本実施例では、第３レンズ群Ｇ３のうち最も物体側に配置された絞りＳは、不図示のシャッター機構により開口径が調整されるようになっており、接合レンズＬ１２／１３が、手ブレ補正レンズ群として不図示のアクチュエータ機構により光軸直交方向に移動させられるようになっている。但し、接合レンズＬ１２／１３と共にレンズＬ１１を光軸直交方向に移動しても良いし、接合レンズＬ１２／１３と共にレンズＬ１１及び接合レンズＬ９／１０を光軸直交方向に移動しても良い。
【００５８】
図２は、実施例１の広角端における球面収差（ａ）、非点収差（ｂ）、歪曲収差（ｃ）の収差図である。図３は、実施例１の中間における球面収差（ａ）、非点収差（ｂ）、歪曲収差（ｃ）の収差図である。図４は、実施例１の望遠端における球面収差（ａ）、非点収差（ｂ）、歪曲収差（ｃ）の収差図である。ここで、球面収差図において、実線はｇ線、ｄ線に対する球面収差量をそれぞれ表しており、非点収差図において、実線Ｓはサジタル面、点線Ｍはメリディオナル面をそれぞれ表す（以下、同じ）。
【００５９】
［表１］
実施例1 
f(全系の焦点距離)=9.00（広角端）-28.50（中間）-90.00（望遠端） 
Fno=2.88（広角端）-4.61（中間）-5.65（望遠端） 
ズーム比=10.0 
面番号  R(mm)   D(mm)   Nd          νd     有効半径(mm)  
1       77.197  1.50    1.903700    31.32   20.47 
2       49.701  0.01    1.514000    42.83   19.04 
3       49.701  5.03    1.497000    81.61   19.04 
4    -6412.245  0.20                        18.30 
5       45.317  3.73    1.497000    81.61   16.95 
6      208.794  d1                          16.72 
7       78.793  0.80    1.804200    46.5    11.66 
8       10.721  6.29                         8.59  
9      -32.238  0.50    1.620409    60.34    8.25 
10      17.844  0.01    1.514000    42.83    7.88 
11      17.844  3.48    1.921189    23.96    7.88 
12    -133.816  2.43                         7.65 
13*    -19.636  0.80    1.820798    42.71    7.14 
14*    -38.885  d2                           7.15 
15(絞り)  無限  2.00                         5.30 
16*     16.651  5.69    1.693500    53.2     5.90 
17*   -100.000  0.20                         5.75 
18      22.912  3.10    1.497000    81.61    5.67 
19     -84.341  0.01    1.514000    42.83    5.37 
20     -84.341  0.75    1.910823    35.2     5.37 
21      14.457  2.29                         5.20 
22      22.711  3.31    1.487490    70.4     5.74 
23     -28.311  0.70                         5.90  
24*     23.822  3.50    1.553319    71.68    6.12  
25     -20.287  0.01    1.514000    42.83    5.94 
26     -20.287  0.50    1.834805    42.72    5.93 
27     -40.063  d3                           5.90 
28*    259.408  2.00    1.622625    58.16    5.81 
29*     11.730  d4                           5.60 
30*     84.340  6.30    1.530500    55.72   10.45 
31*    -19.708  6.34                        10.52 
32      無限    0.47    1.540000    66.93    8.88 
33      無限    1.99                         8.83 
34      無限    0.70    1.523100    54.49    8.46 
35      無限    1.20                         8.37 
36      無限    0.00                         8.16
手振れ補正レンズ：24面〜27面  
第１レンズ群：1面〜6面 
第２レンズ群：7面〜14面 
第３レンズ群：15面〜27面 
第４レンズ群：28面〜29面  
第５レンズ群：30面〜31面  
各ポジションの焦点距離、Fナンバー、画角（°）、固体撮像素子の撮像面対角線長、群間、fB  
f      Fno     画角    2Y      d1      d2      d3      d4      fB
広角端   9.00   2.88    84.43   14.69   0.50    27.14   1.50    5.99    1.20 
中間    28.50   4.61    31.05   16.29   11.98   7.90    5.16    24.92   1.20 
望遠端  90.00   5.65    10.14   16.29   43.94   4.21    4.06    39.55   1.19 
入射瞳位置、射出瞳位置(共にL1から像側が正)、前側主点位置、後側主点位置(共にL1から像側が正) 
ENTP    EXTP    H1       H2     
広角端   21.95   -89.57  30.06   -9.00    
中間     39.28   108.58  75.35   -28.51  
望遠端  186.22    58.29  418.06  -90.01  
レンズ群データ  
レンズ群    始面    焦点距離(mm)  
1           1       82.25   
2           7      -11.06  
3          15       17.23  
4          28      -19.79 
5          30       30.76    
非球面係数  
第13面  K=  0                    第24面  K=  0       
A4= 0.1709E-04                   A4= -0.8492E-05     
A6= 0.7958E-07                   A6= 0.1188E-06      
A8= -0.1077E-07                  A8= 0.8555E-09      
A10= 0.3838E-10                  A10= -0.3656E-10     
A12= 0.0000E+00                  A12= 0.0000E+00      
第14面  K=  0                    第28面  K=  0       
A4= -0.1832E-05                  A4= -0.6004E-04     
A6= -0.4615E-08                  A6= 0.1004E-05      
A8= -0.7778E-08                  A8= -0.5720E-07     
A10= 0.2454E-10                  A10= 0.2233E-08      
A12= 0.0000E+00                  A12= -0.2645E-10     
第16面  K=  0                    第29面  K=  0       
A4= -0.1578E-04                  A4= -0.9037E-04     
A6= 0.2031E-06                   A6= 0.8694E-06      
A8= -0.3057E-08                  A8= -0.5085E-07     
A10= 0.3953E-10                  A10= 0.2080E-08      
A12= -0.1296E-12                 A12= -0.2550E-10     
第17面  K=  0                    第30面  K=  0       
A4= 0.2608E-04                   A4= -0.1738E-04     
A6= 0.2875E-06                   A6= 0.9681E-07      
A8= -0.4417E-08                  A8= 0.1595E-08      
A10= 0.4465E-10                  A10= -0.6927E-11     
A12= 0.0000E+00                  A12= 0.1626E-14      
第31面  K=  0       
A4= 0.2118E-04      
A6= 0.4485E-07      
A8= 0.1899E-08      
A10= -0.7186E-11     
A12= 0.0000E+00      
【００６０】
（実施例２）
実施例２のレンズデータを表２に示す。図５は、実施例２のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。
【００６１】
第１レンズ群Ｇ１は、物体側より順に、負の屈折力を有するレンズＬ１（第１−１レンズ）、正の屈折力を有するレンズＬ２（第１−２レンズ）、正の屈折力を有するレンズＬ３（第１−３レンズ）から構成され、レンズＬ１とレンズＬ２は互いに接合されて接合レンズＬ１／２を構成している。第２レンズ群Ｇ２は、物体側より順に、負の屈折力を有するレンズＬ４（第２−１レンズ）、負の屈折力を有するレンズＬ５（第２−２レンズ）、正の屈折力を有するレンズＬ６（第２−３レンズ）、負の屈折力を有するレンズＬ７（第２−４レンズ）から構成され、レンズＬ５とレンズＬ６は互いに接合されて接合レンズＬ５／６を構成している。
【００６２】
第３レンズ群Ｇ３は、物体側より順に、絞りＳ、正の屈折力を有するレンズＬ８、正の屈折力を有するレンズＬ９、負の屈折力を有するレンズＬ１０，正の屈折力を有するレンズＬ１１、正の屈折力を有するレンズＬ１２、負の屈折力を有するレンズＬ１３から構成され、レンズＬ９とレンズＬ１０は互いに接合されて接合レンズＬ９／１０を構成しており、レンズＬ１２とレンズＬ１３は互いに接合されて、第３レンズ群Ｇ３において最も像面側に位置する接合レンズＬ１２／１３を構成している。第４レンズ群Ｇ４は、負レンズＬ１４を有する。第５レンズ群Ｇ５は、正レンズＬ１５を有する。ＦはＩＲカットフィルタであり、ＣＧはカバーガラスであり、Ｉは固体撮像素子の撮像面である。
【００６３】
本実施例では、広角端から望遠端側へと変倍する際に、第１レンズ群Ｇ１は独立して物体側に移動し、第２レンズ群Ｇ２は独立して中間ではより像側に位置するように移動し、次いで広角端ではより物体側に位置するように移動し、第３レンズ群Ｇ３は独立して物体側に移動し、第４レンズ群Ｇ４も独立して物体側に移動し、第５レンズ群Ｇ５は光軸方向位置が固定される。フォーカシング時は、第４レンズ群Ｇ４のみが独立して光軸方向に変位する。本実施例では、第３レンズ群Ｇ３のうち最も物体側に配置された絞りＳは、不図示のシャッター機構により開口径が調整されるようになっており、接合レンズＬ１２／１３が、手ブレ補正レンズ群として不図示のアクチュエータ機構により光軸直交方向に移動させられるようになっている。但し、接合レンズＬ１２／１３と共にレンズＬ１１を光軸直交方向に移動しても良いし、接合レンズＬ１２／１３と共にレンズＬ１１及び接合レンズＬ９／１０を光軸直交方向に移動しても良い。
【００６４】
図６は、実施例２の広角端における球面収差（ａ）、非点収差（ｂ）、歪曲収差（ｃ）の収差図である。図７は、実施例２の中間における球面収差（ａ）、非点収差（ｂ）、歪曲収差（ｃ）の収差図である。図８は、実施例２の望遠端における球面収差（ａ）、非点収差（ｂ）、歪曲収差（ｃ）の収差図である。
【００６５】
［表２］
実施例2 
f(全系の焦点距離)=9.00（広角端）-45.51（中間）-179.98（望遠端） 
Fno=2.88（広角端）-4.55（中間）-5.77（望遠端）  
ズーム比=20.0  
面番号  R(mm)   D(mm)   Nd          νd     有効半径(mm) 
1       86.159  1.70    1.903700    31.32   20.69 
2       53.598  0.01    1.514000    42.83   19.20 
3       53.598  5.13    1.497000    81.61   19.19 
4     -490.493  0.20                        18.46 
5       52.624  3.37    1.497000    81.61   16.85 
6      259.464  d1                          16.67  
7      103.156  0.80    1.804200    46.5    11.86  
8       12.616  5.69                         9.10  
9      -38.793  0.50    1.804200    46.5     8.72 
10      16.103  0.01    1.514000    42.83    8.26 
11      16.103  4.88    1.846630    23.78    8.26 
12     -43.610  1.78                         8.02 
13*    -21.768  0.80    1.820798    42.71    7.55 
14*    -73.751  d2                           7.53 
15(絞り) 無限   2.00                         6.56 
16*     17.889  5.94    1.693500    53.2     7.44 
17*    -65.185  0.30                         7.28 
18      21.100  3.17    1.497000    81.61    7.02 
19     -86.127  0.01    1.514000    42.83    6.67  
20     -86.127  2.60    1.910823    35.2     6.67  
21      14.160  2.02                         6.07 
22      24.930  2.31    1.487490    70.4     6.32 
23    -350.000  0.70                         6.35  
24*     33.428  3.79    1.553319    71.68    6.48 
25     -15.910  0.01    1.514000    42.83    6.38 
26     -15.910  0.50    1.804200    46.5     6.38 
27     -30.000  d3                           6.40  
28*    500.000  1.65    1.618806    63.86    6.24 
29*     14.053  d4                           6.05  
30*     45.752  6.30    1.530500    55.72    10.46 
31*    -23.676  8.61                         10.51  
32      無限    0.47    1.540000    66.93    8.79 
33      無限    1.99                         8.74  
34      無限    0.70    1.523100    54.49    8.43 
35      無限    1.20                         8.35  
36      無限    0.00                         8.18
手振れ補正レンズ：24面〜27面 
第１レンズ群：1面〜6面 
第２レンズ群：7面〜14面 
第３レンズ群：15面〜27面 
第４レンズ群：28面〜29面  
第５レンズ群：30面〜31面 
各ポジションの焦点距離、Fナンバー、画角（°）、固体撮像素子の撮像面対角線長、群間、fB 
f       Fno     画角    2Y      d1      d2      d3     d4       fB
広角端    9.00   2.88    84.44   14.69   0.50    37.40   1.90    8.06    1.21 
中間     45.51   4.55    19.50   16.29   30.99   10.47   14.55   18.03   1.18 
望遠端  179.98   5.77    5.08    16.29   56.86   1.11    19.39   23.30   1.19 
入射瞳位置、射出瞳位置(共にL1から像側が正)、前側主点位置、後側主点位置(共にL1から像側が正) 
ENTP    EXTP       H1      H2  
広角端    22.48   -110.43    30.75   -8.99    
中間      94.10   201.36     149.95   -45.53  
望遠端   319.54   101.98     820.93  -179.99  
レンズ群データ 
レンズ群    始面    焦点距離(mm)  
1           1       87.74  
2           7      -10.83    
3          15       20.59 
4          28      -23.40  
5          30       30.37  
非球面係数 
第13面  K=  0                    第24面  K=  0       
A4= -0.1356E-04                  A4= -0.3341E-05     
A6= 0.1283E-07                   A6= -0.3442E-08     
A8= -0.3974E-08                  A8= 0.9131E-09      
A10= 0.3005E-10                  A10= -0.5192E-11     
A12= 0.0000E+00                  A12= 0.0000E+00      
第14面  K=  0                    第28面  K=  0       
A4= -0.2812E-04                  A4= 0.1294E-04      
A6= 0.8961E-07                   A6= 0.2912E-05      
A8= -0.4900E-08                  A8= -0.1710E-06     
A10= 0.4122E-10                  A10= 0.3760E-08      
A12= 0.0000E+00                  A12= -0.3085E-10     
第16面  K=  0                    第29面  K=  0       
A4= -0.2064E-04                  A4= 0.8592E-05      
A6= 0.2229E-06                   A6= 0.5168E-05      
A8= -0.5093E-08                  A8= -0.2764E-06     
A10= 0.4806E-10                  A10= 0.6016E-08      
A12= -0.9602E-13                 A12= -0.5002E-10     
第17面  K=  0                    第30面  K=  0       
A4= 0.9061E-05                   A4= -0.1348E-04     
A6= 0.1953E-06                   A6= 0.1806E-06      
A8= -0.4286E-08                  A8= 0.7626E-09      
A10= 0.3779E-10                  A10= -0.6203E-11     
A12= 0.0000E+00                  A12= 0.1336E-13      
第31面  K=  0       
A4= -0.1817E-05     
A6= 0.1415E-06      
A8= 0.9243E-09      
A10= -0.3611E-11     
A12= 0.0000E+00      
【００６６】
（実施例３）
実施例３のレンズデータを表３に示す。図９は、実施例３のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。
【００６７】
第１レンズ群Ｇ１は、物体側より順に、負の屈折力を有するレンズＬ１（第１−１レンズ）、正の屈折力を有するレンズＬ２（第１−２レンズ）、正の屈折力を有するレンズＬ３（第１−３レンズ）から構成され、レンズＬ１とレンズＬ２は互いに接合されて接合レンズＬ１／２を構成している。第２レンズ群Ｇ２は、物体側より順に、負の屈折力を有するレンズＬ４（第２−１レンズ）、負の屈折力を有するレンズＬ５（第２−２レンズ）、正の屈折力を有するレンズＬ６（第２−３レンズ）、負の屈折力を有するレンズＬ７（第２−４レンズ）から構成され、レンズＬ５とレンズＬ６は互いに接合されて接合レンズＬ５／６を構成している。
【００６８】
第３レンズ群Ｇ３は、物体側より順に、絞りＳ、正の屈折力を有するレンズＬ８、正の屈折力を有するレンズＬ９、負の屈折力を有するレンズＬ１０，正の屈折力を有するレンズＬ１１、正の屈折力を有するレンズＬ１２、負の屈折力を有するレンズＬ１３から構成され、レンズＬ９とレンズＬ１０は互いに接合されて接合レンズＬ９／１０を構成しており、レンズＬ１２とレンズＬ１３は互いに接合されて、第３レンズ群Ｇ３において最も像面側に位置する接合レンズＬ１２／１３を構成している。第４レンズ群Ｇ４は、負レンズＬ１４を有する。第５レンズ群Ｇ５は、正レンズＬ１５を有する。ＦはＩＲカットフィルタであり、ＣＧはカバーガラスであり、Ｉは固体撮像素子の撮像面である。
【００６９】
本実施例では、広角端から望遠端側へと変倍する際に、第１レンズ群Ｇ１は独立して物体側に移動し、第２レンズ群Ｇ２は独立して中間ではより像側に位置するように移動し、次いで広角端ではより物体側に位置するように移動し、第３レンズ群Ｇ３は独立して物体側に移動し、第４レンズ群Ｇ４も独立して物体側に移動し、第５レンズ群Ｇ５は光軸方向位置が固定される。フォーカシング時は、第４レンズ群Ｇ４のみが独立して光軸方向に変位する。本実施例では、第３レンズ群Ｇ３のうち最も物体側に配置された絞りＳは、不図示のシャッター機構により開口径が調整されるようになっており、接合レンズＬ１２／１３が、手ブレ補正レンズ群として不図示のアクチュエータ機構により光軸直交方向に移動させられるようになっている。但し、接合レンズＬ１２／１３と共にレンズＬ１１を光軸直交方向に移動しても良いし、接合レンズＬ１２／１３と共にレンズＬ１１及び接合レンズＬ９／１０を光軸直交方向に移動しても良い。
【００７０】
図１０は、実施例３の広角端における球面収差（ａ）、非点収差（ｂ）、歪曲収差（ｃ）の収差図である。図１１は、実施例３の中間における球面収差（ａ）、非点収差（ｂ）、歪曲収差（ｃ）の収差図である。図１２は、実施例３の望遠端における球面収差（ａ）、非点収差（ｂ）、歪曲収差（ｃ）の収差図である。
【００７１】
［表３］
実施例3  
f(全系の焦点距離)=9.00（広角端）-45.00（中間）-206.93（望遠端）    
Fno=2.88（広角端）-4.53（中間）-6.13（望遠端）  
ズーム比=23.0  
面番号  R(mm)   D(mm)   Nd          νd     有効半径(mm) 
1       89.317  1.50    1.910823    35.2    20.69 
2       52.577  0.01    1.514000    42.83   19.22 
3       52.577  5.12    1.497000    81.61   19.22 
4     -667.600  0.20                        18.50 
5       50.507  3.71    1.497000    81.61   17.50 
6      268.714  d1                          17.32 
7       54.052  0.80    1.883000    40.81   11.23 
8       12.455  5.70                         8.81 
9      -29.898  0.50    1.772500    49.62    8.36  
10      16.669  0.01    1.514000    42.83    7.92 
11      16.669  4.69    1.846630    23.78    7.92 
12     -35.758  1.76                         7.67 
13*    -19.252  0.80    1.820798    42.71    7.15 
14*    -86.432  d2                           7.15 
15(絞り) 無限   2.00                         6.52 
16*     17.090  5.94    1.622625    58.16    7.46 
17*    -66.270  0.42                         7.31 
18      21.611  4.00    1.497000    81.61    7.10 
19     -89.448  0.01    1.514000    42.83    6.62 
20     -89.448  2.52    1.910823    35.2     6.62 
21      13.777  1.93                         6.10 
22      21.229  2.73    1.548140    45.82    6.46 
23    -113.812  0.70                         6.52 
24*     29.641  3.41    1.553319    71.68    6.55 
25     -19.926  0.01    1.514000    42.83    6.44 
26     -19.926  0.50    1.910823    35.2     6.44 
27     -33.509  d3                           6.45  
28*    378.179  0.95    1.622625    58.16    6.23  
29*     13.790  d4                           6.05 
30*     52.502  6.30    1.530500    55.72   11.24 
31*    -25.503  10.54                       11.34 
32      無限    0.47    1.540000    66.93    8.90 
33      無限    1.99                         8.85 
34      無限    0.70    1.523100    54.49    8.48  
35      無限    1.20                         8.39 
36      無限    0.00                         8.18
手振れ補正レンズ：24面〜27面    
第１レンズ群：1面〜6面 
第２レンズ群：7面〜14面 
第３レンズ群：15面〜27面  
第４レンズ群：28面〜29面  
第５レンズ群：30面〜31面 
各ポジションの焦点距離、Fナンバー、画角（°）、固体撮像素子の撮像面対角線長、群間、fB   
f      Fno     画角    2Y      d1      d2      d3      d4      fB
広角端    9.00   2.88    84.45   14.69   0.50    34.38   1.50    7.55    1.21 
中間     45.00   4.53    19.71   16.29   33.94   9.94    13.20   18.01   1.19 
望遠端  206.93   6.13    4.50    16.29   59.99   1.22    17.27   35.39   1.18 
入射瞳位置、射出瞳位置(共にL1から像側が正)、前側主点位置、後側主点位置(共にL1から像側が正) 
ENTP    EXTP    H1       H2  
広角端    22.14   -91.49  30.27    -8.99     
中間     103.40   509.16  152.38   -45.01  
望遠端   351.58   73.65   1149.40  -206.95  
レンズ群データ  
レンズ群    始面    焦点距離(mm) 
1           1       90.60 
2           7      -10.15 
3          15       20.02  
4          28      -23.01  
5          30       33.29  
非球面係数 
第13面  K=  0                    第24面  K=  0       
A4= -0.1465E-04                  A4= -0.5738E-05     
A6= -0.1038E-06                  A6= 0.1549E-07      
A8= 0.0000E+00                   A8= 0.0000E+00      
A10= 0.0000E+00                  A10= 0.0000E+00      
A12= 0.0000E+00                  A12= 0.0000E+00      
第14面  K=  0                    第28面  K=  0       
A4= -0.2757E-04                  A4= -0.7473E-04     
A6= -0.4440E-07                  A6= 0.5157E-05      
A8= 0.0000E+00                   A8= -0.1947E-06     
A10= 0.0000E+00                  A10= 0.3336E-08      
A12= 0.0000E+00                  A12= -0.2159E-10     
第16面  K=  0                    第29面  K=  0       
A4= -0.1371E-04                  A4= -0.9048E-04     
A6= 0.1930E-08                   A6= 0.6618E-05      
A8= 0.1036E-09                   A8= -0.2748E-06     
A10= 0.0000E+00                  A10= 0.5102E-08      
A12= 0.0000E+00                  A12= -0.3614E-10     
第17面  K=  0                    第30面  K=  0       
A4= 0.2005E-04                   A4= -0.1395E-04     
A6= 0.3078E-08                   A6= 0.1872E-06      
A8= 0.3225E-09                   A8= -0.1610E-08     
A10= 0.0000E+00                  A10= 0.7872E-11      
A12= 0.0000E+00                  A12= -0.1622E-13     
第31面  K=  0       
A4= 0.2228E-05      
A6= 0.4149E-07      
A8= 0.5017E-10      
A10= -0.3907E-12     
A12= 0.0000E+00      
【００７２】
（実施例４）
実施例４のレンズデータを表４に示す。図１３は、実施例４のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。
【００７３】
第１レンズ群Ｇ１は、物体側より順に、負の屈折力を有するレンズＬ１（第１−１レンズ）、正の屈折力を有するレンズＬ２（第１−２レンズ）、正の屈折力を有するレンズＬ３（第１−３レンズ）から構成され、レンズＬ１とレンズＬ２は互いに接合されて接合レンズＬ１／２を構成している。第２レンズ群Ｇ２は、物体側より順に、負の屈折力を有するレンズＬ４（第２−１レンズ）、負の屈折力を有するレンズＬ５（第２−２レンズ）、正の屈折力を有するレンズＬ６（第２−３レンズ）、負の屈折力を有するレンズＬ７（第２−４レンズ）から構成され、レンズＬ５とレンズＬ６は互いに接合されて接合レンズＬ５／６を構成している。
【００７４】
第３レンズ群Ｇ３は、物体側より順に、絞りＳ、正の屈折力を有するレンズＬ８、正の屈折力を有するレンズＬ９、負の屈折力を有するレンズＬ１０，正の屈折力を有するレンズＬ１１、正の屈折力を有するレンズＬ１２、負の屈折力を有するレンズＬ１３から構成され、レンズＬ９とレンズＬ１０は互いに接合されて接合レンズＬ９／１０を構成しており、レンズＬ１２とレンズＬ１３は互いに接合されて、第３レンズ群Ｇ３において最も像面側に位置する接合レンズＬ１２／１３を構成している。第４レンズ群Ｇ４は、負レンズＬ１４を有する。第５レンズ群Ｇ５は、正レンズＬ１５を有する。ＦはＩＲカットフィルタであり、ＣＧはカバーガラスであり、Ｉは固体撮像素子の撮像面である。
【００７５】
本実施例では、広角端から望遠端側へと変倍する際に、第１レンズ群Ｇ１は独立して物体側に移動し、第２レンズ群Ｇ２は独立して中間ではより像側に位置するように移動し、次いで広角端ではより物体側に位置するように移動し、第３レンズ群Ｇ３は独立して物体側に移動し、第４レンズ群Ｇ４も独立して物体側に移動し、第５レンズ群Ｇ５は光軸方向位置が固定される。フォーカシング時は、第４レンズ群Ｇ４のみが独立して光軸方向に変位する。本実施例では、第３レンズ群Ｇ３のうち最も物体側に配置された絞りＳは、不図示のシャッター機構により開口径が調整されるようになっており、接合レンズＬ１２／１３が、手ブレ補正レンズ群として不図示のアクチュエータ機構により光軸直交方向に移動させられるようになっている。但し、接合レンズＬ１２／１３と共にレンズＬ１１を光軸直交方向に移動しても良いし、接合レンズＬ１２／１３と共にレンズＬ１１及び接合レンズＬ９／１０を光軸直交方向に移動しても良い。
【００７６】
図１４は、実施例４の広角端における球面収差（ａ）、非点収差（ｂ）、歪曲収差（ｃ）の収差図である。図１５は、実施例４の中間における球面収差（ａ）、非点収差（ｂ）、歪曲収差（ｃ）の収差図である。図１６は、実施例４の望遠端における球面収差（ａ）、非点収差（ｂ）、歪曲収差（ｃ）の収差図である。
【００７７】
［表４］
実施例4 
f(全系の焦点距離)=9.00（広角端）-45.50（中間）-154.96（望遠端） 
Fno=3.61（広角端）-5.38（中間）-5.76（望遠端） 
ズーム比=17.2 
面番号  R(mm)   D(mm)   Nd          νd     有効半径(mm) 
1       66.560  1.70    1.903700    31.32   19.19 
2       45.275  0.01    1.514000    42.83   18.45 
3       45.275  5.11    1.497000    81.61   18.45 
4      805.000  0.20                        18.20  
5       54.301  3.76    1.497000    81.61   17.80 
6      334.851  d1                          17.59 
7      291.369  0.80    1.834805    42.72   11.03 
8        9.642  5.80                         8.05 
9      -69.465  0.80    1.910823    35.2     7.97 
10      20.240  0.01    1.514000    42.83    8.02  
11      20.240  5.25    1.846630    23.78    8.02 
12     -20.240  0.30                         8.07  
13*    -22.982  0.80    1.820798    42.71    7.83 
14*   -125.808  d2                           7.76 
15(絞り) 無限   1.70                         5.25  
16*     14.452  3.26    1.693500    53.2     6.34 
17*      無限   1.43                         6.22  
18      23.360  3.84    1.497000    81.61    5.83  
19     -55.000  0.01    1.514000    42.83    5.26  
20     -55.000  0.75    1.910823    35.2     5.26 
21      12.367  1.45                         4.99 
22*     18.783  1.80    1.730766    40.5     5.16 
23*     56.078  1.46                         5.15 
24*     28.241  3.46    1.553319    71.68    5.55  
25     -13.732  0.01    1.514000    42.83    5.47    
26     -13.732  0.50    1.834001    37.35    5.47  
27     -25.213  d3                           5.50   
28*    127.441  1.49    1.530500    55.72    5.48  
29*     14.050  d4                           5.46  
30*     21.359  5.00    1.530500    55.72   10.16 
31*    -84.356  4.29                         9.99  
32      無限    0.61    1.516798    64.2     8.93  
33      無限    2.03                         8.85  
34      無限    0.50    1.516798    64.2     8.43  
35      無限    1.00                         8.36 
36      無限    0.00                         8.15
手振れ補正レンズ：24面〜27面 
第１レンズ群：1面〜6面 
第２レンズ群：7面〜14面  
第３レンズ群：15面〜27面   
第４レンズ群：28面〜29面  
第５レンズ群：30面〜31面    
各ポジションの焦点距離、Fナンバー、画角（°）、固体撮像素子の撮像面対角線長、群間、fB 
f      Fno     画角    2Y      d1      d2      d3      d4      fB
広角端    9.00   3.61    84.50   14.70   0.76    38.73   4.26    11.05   0.99 
中間     45.50   5.38    19.71   16.29   30.34   8.09    19.17   16.34   1.05 
望遠端  154.96   5.76    5.96    16.29   56.23   1.20    16.32   26.09   0.97 
入射瞳位置、射出瞳位置(共にL1から像側が正)、前側主点位置、後側主点位置(共にL1から像側が正) 
ENTP     EXTP       H1       H2 
広角端    21.18   -118.64     29.51    -9.01  
中間      87.94    863.13    135.84   -45.45 
望遠端   315.56    124.82    664.41  -154.98 
レンズ群データ 
レンズ群    始面    焦点距離(mm)  
1           1       86.22  
2           7      -11.90    
3          15       21.72    
4          28      -29.90  
5          30       32.66  
非球面係数  
第13面  K=  0                    第24面  K=  0       
A4= -0.1586E-04                  A4= -0.2176E-05     
A6= 0.8327E-06                   A6= 0.4014E-06      
A8= -0.1031E-07                  A8= -0.2492E-07     
A10= 0.8468E-10                  A10= 0.4220E-09      
A12= 0.0000E+00                  A12= 0.0000E+00      
第14面  K=  0                    第28面  K=  0       
A4= -0.5435E-04                  A4= -0.2322E-03     
A6= 0.6411E-06                   A6= 0.1193E-04      
A8= -0.9607E-08                  A8= -0.2455E-06     
A10= 0.4500E-10                  A10= 0.1995E-08      
A12= 0.0000E+00                  A12= 0.0000E+00      
第16面  K=  0                    第29面  K=  0       
A4= -0.2087E-04                  A4= -0.2650E-03     
A6= 0.3366E-06                   A6= 0.1279E-04      
A8= -0.2720E-07                  A8= -0.2431E-06     
A10= 0.5381E-10                  A10= 0.1878E-08      
A12= -0.2690E-11                 A12= 0.0000E+00      
第17面  K=  0                    第30面  K=  0       
A4= -0.3281E-06                  A4= -0.1370E-04     
A6= 0.2155E-06                   A6= -0.4209E-06     
A8= -0.4144E-07                  A8= 0.5947E-08      
A10= 0.1002E-09                  A10= -0.3022E-10     
A12= 0.0000E+00                  A12= 0.1452E-12      
第22面  K=  0                    第31面  K=  0       
A4= 0.5721E-04                   A4= -0.1636E-05     
A6= 0.1388E-05                   A6= -0.8679E-06     
A8= -0.2194E-06                  A8= 0.7412E-08      
A10= 0.2093E-08                  A10= -0.5169E-11     
A12= 0.0000E+00                  A12= 0.0000E+00      
第23面  K=  0  
A4= 0.8075E-04 
A6= 0.2412E-05 
A8= -0.2404E-06 
A10= 0.2612E-08 
A12= 0.0000E+00  
【００７８】
（実施例５）
実施例５のレンズデータを表５に示す。図１７は、実施例５のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。
【００７９】
第１レンズ群Ｇ１は、物体側より順に、負の屈折力を有するレンズＬ１（第１−１レンズ）、正の屈折力を有するレンズＬ２（第１−２レンズ）、正の屈折力を有するレンズＬ３（第１−３レンズ）から構成され、レンズＬ１とレンズＬ２は互いに接合されて接合レンズＬ１／２を構成している。第２レンズ群Ｇ２は、物体側より順に、負の屈折力を有するレンズＬ４（第２−１レンズ）、負の屈折力を有するレンズＬ５、負の屈折力を有するレンズＬ６（第２−２レンズ）、正の屈折力を有するレンズＬ７（第２−３レンズ）、負の屈折力を有するレンズＬ８（第２−４レンズ）から構成され、レンズＬ６とレンズＬ７は互いに接合されて接合レンズＬ６／７を構成している。
【００８０】
第３レンズ群Ｇ３は、物体側より順に、絞りＳ、正の屈折力を有するレンズＬ９、正の屈折力を有するレンズＬ１０、負の屈折力を有するレンズＬ１１，正の屈折力を有するレンズＬ１２、負の屈折力を有するレンズＬ１３、負の屈折力を有するレンズＬ１４、正の屈折力を有するレンズＬ１５から構成され、レンズＬ１０とレンズＬ１１は互いに接合されて接合レンズＬ１０／１１を構成しており、レンズＬ１２とレンズＬ１３は互いに接合されて接合レンズＬ１２／１３を構成しており、レンズＬ１４とレンズＬ１５は互いに接合されて第３レンズ群Ｇ３において最も像面側に位置する接合レンズＬ１４／１５を構成している。第４レンズ群Ｇ４は、負レンズＬ１６を有する。第５レンズ群Ｇ５は、正レンズＬ１７を有する。ＦはＩＲカットフィルタであり、ＣＧはカバーガラスであり、Ｉは固体撮像素子の撮像面である。
【００８１】
本実施例では、広角端から望遠端側へと変倍する際に、第１レンズ群Ｇ１は独立して物体側に移動し、第２レンズ群Ｇ２も独立して物体側に移動し、第３レンズ群Ｇ３も独立して物体側に移動し、第４レンズ群Ｇ４も独立して物体側に移動し、第５レンズ群Ｇ５は光軸方向位置が固定される。フォーカシング時は、第４レンズ群Ｇ４のみが独立して光軸方向に変位する。本実施例では、第３レンズ群Ｇ３のうち最も物体側に配置された絞りＳは、不図示のシャッター機構により開口径が調整されるようになっており、接合レンズＬ１２／１３及び接合レンズＬ１４／１５が、手ブレ補正レンズ群として不図示のアクチュエータ機構により光軸直交方向に移動させられるようになっている。
【００８２】
図１８は、実施例５の広角端における球面収差（ａ）、非点収差（ｂ）、歪曲収差（ｃ）の収差図である。図１９は、実施例５の中間における球面収差（ａ）、非点収差（ｂ）、歪曲収差（ｃ）の収差図である。図２０は、実施例５の望遠端における球面収差（ａ）、非点収差（ｂ）、歪曲収差（ｃ）の収差図である。
【００８３】
［表５］
実施例5 
f(全系の焦点距離)=9.00(広角端)-45.00(中間)-206.99(望遠端) 
Fno=2.89(広角端)-4.96(中間)-6.59(望遠端) 
ズーム比=23 
面番号  R(mm)   D(mm)   Nd          νd     有効半径(mm)  
1       81.898  1.50    1.910823    35.2    20.74 
2       49.604  0.01    1.514000    42.83   19.23 
3       49.604  5.16    1.497000    81.61   19.23 
4    -1857.891  0.20                        18.52  
5       49.539  3.41    1.497000    81.61   16.00  
6      330.247  d1                          15.83  
7       73.043  0.50    1.883000    40.81   11.65 
8       14.674  3.07                         9.48 
9       23.354  0.80    1.903700    31.32    8.71 
10      14.607  4.36                         7.96 
11     -24.333  0.50    1.804200    46.5     7.67 
12      20.002  0.01    1.514000    42.83    7.55 
13      20.002  4.70    1.846630    23.78    7.55 
14     -20.988  2.30                         7.46 
15*    -13.185  0.80    1.834410    37.29    6.82 
16*    -22.496  d2                           7.00 
17(絞り) 無限   2.00                         6.35  
18*     19.493  6.00    1.755014    51.16    7.67 
19*    -51.222  0.25                         7.52 
20      16.126  3.30    1.497000    81.61    7.11 
21    -133.878  0.01    1.514000    42.83    6.70  
22    -133.878  0.75    1.806099    33.27    6.70 
23      12.390  1.86                         6.15 
24      17.474  3.33    1.518230    58.96    6.27 
25     -93.829  0.01    1.514000    42.83    6.08 
26     -93.829  0.50    1.804200    46.5     6.08 
27      18.051  1.34                         5.95 
28      19.508  0.50    1.804200    46.5     6.15 
29      15.934  0.01    1.514000    42.83    6.10 
30      15.934  3.42    1.553319    71.68    6.10 
31*    -30.569  d3                           6.10 
32*    284.424  0.82    1.553319    71.68    6.03 
33*     20.426  d4                           6.00 
34*     24.523  6.30    1.530500    55.72   10.94 
35*    -52.438  5.00                        10.45 
36      無限    0.47    1.516798    64.2     9.11  
37      無限    1.99                         9.04 
38      無限    0.70    1.516798    64.2     8.55 
39      無限    1.23                         8.45 
40      無限    0.00                         8.17  
手振れ補正レンズ：24面〜31面  
1群：1面〜6面  
2群：7面〜16面    
3群：17面〜31面   
4群：32面〜33面  
5群：34面〜35面  
各ポジションの焦点距離、Fナンバー、画角(°)、固体撮像素子の撮像面対角線長、群間、fB  
f      Fno     画角    2Y      d1      d2      d3      d4      fB
広角端   9.00   2.89    84.50   14.69   0.50    31.30   1.49    11.79   1.24 
中間    45.00   4.96    19.73   16.29   27.55   6.23    25.07   15.02   1.21 
望遠端 206.99   6.59    4.39    16.29   56.74   0.50    17.48   48.15   1.20 
入射瞳位置、射出瞳位置(共にL1から像側が正)、前側主点位置、後側主点位置(共にL1から像側が正) 
ENTP    EXTP      H1       H2  
広角端   21.59   -184.47   30.16   -8.99 
中間     79.20   224.30   133.28   -45.02 
望遠端   334.60  50.55    1409.76  -207.02  
レンズ群データ     
レンズ群    始面    焦点距離(mm) 
1           1       86.79 
2           7      -10.60 
3          17       21.68  
4          32      -39.82 
5          34       32.42 
非球面係数 
第15面  K=  0                    第31面  K=  0       
A4= -0.1912E-04                  A4= 0.1480E-04      
A6= 0.3042E-07                   A6= 0.1292E-06      
A8= -0.1455E-08                  A8= -0.3216E-08     
A10= 0.2286E-11                  A10= 0.3279E-10      
A12= 0.0000E+00                  A12= 0.0000E+00      
第16面  K=  0                    第32面  K=  0       
A4= -0.3941E-04                  A4= -0.1127E-03     
A6= -0.3797E-07                  A6= 0.5541E-05      
A8= -0.8336E-10                  A8= -0.2094E-06     
A10= -0.7113E-11                 A10= 0.4764E-08      
A12= 0.0000E+00                  A12= -0.4387E-10     
第18面  K=  0                    第33面  K=  0       
A4= -0.1320E-04                  A4= -0.1174E-03     
A6= -0.2406E-07                  A6= 0.5368E-05      
A8= -0.1961E-09                  A8= -0.1988E-06     
A10= -0.6132E-11                 A10= 0.4509E-08      
A12= 0.1957E-13                  A12= -0.4155E-10     
第19面  K=  0                    第34面  K=  0       
A4= 0.1501E-04                   A4= 0.1110E-04      
A6= -0.2336E-07                  A6= 0.2873E-06      
A8= -0.7606E-09                  A8= -0.1817E-08     
A10= -0.5089E-12                 A10= 0.1951E-11      
A12= 0.0000E+00                  A12= 0.3749E-13      
第35面  K=  0       
A4= 0.4335E-04      
A6= 0.3230E-06      
A8= -0.4599E-08     
A10= 0.2098E-10      
A12= 0.0000E+00      
【００８４】
表６、７に、請求項に記載した条件式の値をまとめて示す。
【００８５】
【表６】
0006292403.tif 000003
【００８６】
【表７】
0006292403.tif 000004
【符号の説明】
【００８７】
Ｇ１〜Ｇ５  レンズ群
Ｌ１〜Ｌ１７  レンズ
Ｆ  ＩＲカットフィルター
ＣＧ  カバーガラス
Ｉ  固体撮像素子の撮像面
【図１】
0006292403.tif 000005
【図２】
0006292403.tif 000006
【図３】
0006292403.tif 000007
【図４】
0006292403.tif 000008
【図５】
0006292403.tif 000009
【図６】
0006292403.tif 000010
【図７】
0006292403.tif 000011
【図８】
0006292403.tif 000012
【図９】
0006292403.tif 000013
【図１０】
0006292403.tif 000014
【図１１】
0006292403.tif 000015
【図１２】
0006292403.tif 000016
【図１３】
0006292403.tif 000017
【図１４】
0006292403.tif 000018
【図１５】
0006292403.tif 000019
【図１６】
0006292403.tif 000020
【図１７】
0006292403.tif 000021
【図１８】
0006292403.tif 000022
【図１９】
0006292403.tif 000023
【図２０】
0006292403.tif 000024